(57)【特許請求の範囲】
【請求項１】
光源の調光制御用の調光回路部と、２色性色素を有するネマティック液晶を用いて形成されるとともに前記光源の光軸上に配置され、印加される交流電圧に応じて所定の色温度の光の透過率が変化する液晶フィルタ部と、該液晶フィルタ部に印加する交流電圧を制御する調色回路部と、予め設定された照明プログラムに従って前記調光回路部及び前記調色回路部を制御する照明制御部とを備え、
前記照明プログラムは、前記光源が放射する光の色温度が、当該照明プログラムで制御する色温度の範囲内において低いものである場合に、前記光源の光度と、色温度が低い光に対する前記液晶フィルタ部の透過率とが反比例するように、前記調光回路部及び前記調色回路部を制御するプログラムであることを特徴とする照明装置。
【請求項２】
光源の調光制御用の調光回路部と、２色性色素を有するネマティック液晶を用いて形成されるとともに前記光源の光軸上に配置され、印加される交流電圧に応じて所定の色温度の光の透過率が変化する液晶フィルタ部と、該液晶フィルタ部に印加する交流電圧を制御する調色回路部と、予め設定された照明プログラムに従って前記調光回路部及び前記調色回路部を制御する照明制御部とを備え、
前記照明プログラムは、前記光源が放射する光の色温度が、当該照明プログラムで制御する色温度の範囲内において高いものである場合に、前記光源の光度と、色温度が高い光に対する前記液晶フィルタ部の透過率とが比例するように、前記調光回路部及び前記調色回路部を制御するプログラムであることを特徴とする照明装置。
【請求項３】
前記液晶フィルタ部は、色温度が低い光に対して透過率が変化するように構成された高照度用液晶フィルタと、色温度が高い光に対して透過率が変化するように構成された低照度用液晶フィルタとで構成されていることを特徴とする請求項１又は２に記載の照明装置。
【発明の詳細な説明】
【技術分野】
【０００１】
本発明は、照明装置に関するものである。
【背景技術】
【０００２】
従来から光刺激によって就寝者を目覚めさせる照明装置が提供されている（例えば、特許文献１）。このような照明装置１００は、図１５に示すように、低照度光と中照度光と高照度光の少なくとも３種の照度の光を発生させることができる発光部１０１と、この発光部１０１から出る各照度光について各々調光する調光部１０２と、マイクロコンピュータにて形成された制御装置１０３と、クロック回路１０４と、照度変化パターンを記憶させた外部記憶装置１０５と、現時刻や起床設定時刻の表示や機能表示を行う表示部１０６と、起床希望時刻の入力や現時刻の修正や照度調整入力等のための操作部１０７と、音刺激を発生する音刺激発生部１０８と、停電検出回路１０９と、電源回路１１０とを備えている。
【０００３】
そして、この照明装置１００は、起床希望時刻を入力すれば、制御装置１０３は現時刻と起床希望時刻との比較により、起床希望時刻の３０〜６０分前の時点で発光部１０１から低照度光を出力させるとともに、調光部１０２を介して照度をほぼ０ｌｘの状態から２００ｌｘ程度まで徐々に高めていき、起床希望時刻の５〜１０分前の時点で、制御装置１０３は発光部１０１に中照度光を出力させ、更に起床希望時刻又はその直前（１分以内前）の時点に、発光部１０１からの光を中照度光から倍以上の明るさの高照度光へと切り換えるという動作を行うように構成されている。
【特許文献１】特開平７−３１８６７０号公報（段落番号〔００１８〕〜〔００２２〕、及び図１，２参照）
【発明の開示】
【発明が解決しようとする課題】
【０００４】
このような従来の照明装置１００では、低照度光で夜明け前の状態を、中照度光で夜明け前後の状態を、高照度光で夜明け後の日射がある状態を模しつつも、単に照度を徐々に増加させるのではなく、上述のように低照度から中照度へと緩やかに増加させ、その後、中照度から倍以上の明るさの高照度へと急速に照度を変化させることで、就寝者に夜明け前の状態から夜明け前後にかけての自然界の光の状態、そして日射を直接受ける状態を与え、これにより不快感の無い目覚めを就寝者にもたらすことを目的としている。
【０００５】
しかしながら、実際、自然界の光は、時間帯によって色温度が変化するため、単に照度を調整するだけでは、自然界の光を再現するには不十分であった。
【０００６】
本発明は上述の点に鑑みて為されたもので、その目的は、照射する光の光度と色温度とを個別に制御できて、幅広い照明制御を行える照明装置を提供することにある。
【課題を解決するための手段】
【０００７】
上述の課題を解決するために、請求項１の照明装置の発明では、光源の調光制御用の調光回路部と、２色性色素を有するネマティック液晶を用いて形成されるとともに前記光源の光軸上に配置され、印加される交流電圧に応じて所定の色温度の光の透過率が変化する液晶フィルタ部と、該液晶フィルタ部に印加する交流電圧を制御する調色回路部と、予め設定された照明プログラムに従って前記調光回路部及び前記調色回路部を制御する照明制御部とを備え、前記照明プログラムは、前記光源が放射する光の色温度が、当該照明プログラムで制御する色温度の範囲内において低いものである場合に、前記光源の光度と、色温度が低い光に対する前記液晶フィルタ部の透過率とが反比例するように、前記調光回路部及び前記調色回路部を制御するプログラムであることを特徴とする。
【０００８】
請求項２の照明装置の発明では、光源の調光制御用の調光回路部と、２色性色素を有するネマティック液晶を用いて形成されるとともに前記光源の光軸上に配置され、印加される交流電圧に応じて所定の色温度の光の透過率が変化する液晶フィルタ部と、該液晶フィルタ部に印加する交流電圧を制御する調色回路部と、予め設定された照明プログラムに従って前記調光回路部及び前記調色回路部を制御する照明制御部とを備え、前記照明プログラムは、前記光源が放射する光の色温度が、当該照明プログラムで制御する色温度の範囲内において高いものである場合に、前記光源の光度と、色温度が高い光に対する前記液晶フィルタ部の透過率とが比例するように、前記調光回路部及び前記調色回路部を制御するプログラムであることを特徴とする。
【００１０】
請求項３の照明装置の発明では、請求項１又は２の構成に加えて、前記液晶フィルタ部は、色温度が低い光に対して透過率が変化するように構成された高照度用液晶フィルタと、色温度が高い光に対して透過率が変化するように構成された低照度用液晶フィルタとで構成されていることを特徴とする。
【発明の効果】
【００１１】
請求項１の照明装置の発明は、照射する光の光度と、色温度とを個別に制御することができ、例えば、就寝時には照射する光の光度及び色温度を低くし、起床時には照射する光の光度及び色温度を高くするような照明プログラムが可能になり、これにより幅広い照明制御を行えるという効果を奏する。
【００１２】
また、光源の光度を低くした際に、照明装置の照射する光の色温度を低くし、光源の光度を高くした際に、照明装置の照射する光の色温度を高くすることが可能となり、これにより、放射する光の色温度が、照明プログラムで制御する色温度の範囲内において低い光源を用いた場合でも、照明装置の照射する光の色温度を広範囲に変化させることができるという効果を奏する。
【００１３】
請求項２の照明装置の発明は、照射する光の光度と、色温度とを個別に制御することができ、例えば、就寝時には照射する光の光度及び色温度を低くし、起床時には照射する光の光度及び色温度を高くするような照明プログラムが可能になり、これにより幅広い照明制御を行えるという効果を奏する。また、光源の光度を低くした際に、照明装置の照射する光の色温度を低くし、光源の光度を高くした際に、照明装置の照射する光の色温度を高くすることが可能となり、これにより、放射する光の色温度が、照明プログラムで制御する色温度の範囲内において高い光源を用いた場合でも、照明装置の照射する光の色温度を広範囲に変化させることができるという効果を奏する。
【００１４】
請求項３の照明装置の発明は、光源に特有の色温度を中心にして、照明装置の照射する光の色温度を広範囲に変化させることができるという効果を奏する。
【発明を実施するための最良の形態】
【００１５】
以下、本発明の照明装置の実施形態について、図１〜図１５を参照して説明する。
【００１６】
（実施形態１）
本実施形態の照明装置１は、目覚まし装置としての機能を有するものであって、図１に示すように、白熱灯（白熱電球）等の光源６の調光制御用の調光回路部２と、２色性色素を有するネマティック液晶を用いて形成されるとともに光源６の光軸上に配置され、印加電圧（交流電圧）に応じて所定の色温度の光（本実施形態では、主に色温度が低い、すなわち可視領域において長波長の光）の透過率が変化する液晶フィルタ部３と、該液晶フィルタ部３に印加する交流電圧を制御する調色回路部４と、予め設定された照明プログラムに従って調光回路部２及び調色回路部４を制御する照明制御部５とを備えている。尚、調光回路部２、及び調色回路部４の回路構成については従来周知のものを用いることができるため、詳細な説明は省略する。
【００１７】
調光回路部２は、図２に示すように、直列接続された商用電源等の交流電源ＡＣと光源６に直列接続されるトライアック（３端子双方向サイリスタ）Ｑ１を有しており、トライアックＱ１と交流電源ＡＣとの間には、雑防用のインダクタＬ１が介装され、交流電源ＡＣには雑防用のコンデンサＣ１が並列に接続されている。また、トライアックＱ１とインダクタＬ１との接続点と、トライアックＱ１のゲートとの間には、コンデンサＣ２及び抵抗Ｒ１からなる並列回路が接続されており、トライアックＱ１のゲートには、トランジスタ（ＰＮＰトランジスタ）Ｑ２のエミッタが接続されている。このトランジスタＱ２のコレクタは、抵抗Ｒ２を介してグラウンドに接続され、トランジスタＱ２のベースは、パルス信号からなる後述の調光用の制御信号Ｓ１が入力される入力端子ＩＮに接続されるとともに、抵抗Ｒ３を介してエミッタに接続されている。
【００１８】
以上により構成された調光回路部２によれば、入力端子ＩＮに入力される制御信号Ｓ１のオンデューティを変化させることによって（すなわちデューティ比を調整することによって）、トライアックＱ１がオンとなる時間を制御することができ、これにより交流電源ＡＣから光源６に電力を供給する時間を制御して、光源６の調光制御を行うことができるようになっている。
【００１９】
液晶フィルタ部３は、分子配向により光吸収率が変化する２色性色素として、長波長の光を吸収して色温度を増加させる２色性色素を有するネマティック液晶を用いて形成された青色液晶フィルタである。このような液晶フィルタ部３は、図３（ａ）に示すように、２色性色素３ａを混合させたネマティック液晶３ｂを透明樹脂（アクリル樹脂やエポキシ樹脂等）３ｃに分散してなる液晶層３ｄを、互いに対向する面に透明電極（ＩＴＯ等）３ｅが形成された一対の透明基板（ガラス基板や、透明なプラスチック基板）３ｆで挟み込んで素子化することで得られる。また、透明電極３ｅの表面には、ネマティック液晶３ｂの液晶分子を所望の方向に配向させるために、ナイロン繊維付のロールでラビング（摩擦）されたポリイミド配向膜（図示せず）が設けられている。ここで、ネマティック液晶３ｂとしては、例えば、シアノビフェール系や、シクロヘキサン系等の化学的に安定で耐光性に優れたものを用いることが望ましい。また、長波長の光を吸収して色温度を増加させる２色性色素３ａとしては、ネマティック液晶３ｂに対して溶解性を有するものが望ましく、例えば、アントラキノン系色素が好適である。
【００２０】
以下、このような液晶フィルタ部３の透過率特性について図３（ｂ）を参照して説明する。まず液晶フィルタ部３に交流電圧が印加されていない場合は、２色性色素の色素分子がネマティック液晶の液晶分子とともに入射偏光に平行に配向しており（ホモジニアス配向）、このとき細長い２色性色素分子の軸が偏光と平行であるため、２色性色素の特性に従って、図３（ｂ）中にグラフＢ１で示すように長波長の光を吸収する。この状態から液晶フィルタ部３に交流電圧を印加すると、液晶分子とともに色素分子が電界方向に配向して吸収が解消し、これにより図３（ｂ）中にグラフＢ２で示すように、長波長の光に対する吸収率が減少し（換言すれば、透過率が増加し）、液晶フィルタ部３に印加される交流電圧の電圧値が所定値以上となると、図３（ｂ）中にグラフＢ３で示すように、長波長の光をほとんど吸収しなくなり、略全ての波長の光に対して略１００％の透過率を有するようになる。
【００２１】
一方、液晶フィルタ部３に、例えば電圧値が約１５Ｖ以上で、周波数が数百Ｈｚ〜数ｋＨｚと低い交流電圧を印加した場合には、液晶分子とともに色素分子が十分に電界方向に配向できる時間が増えるために光の吸収率が減少し、図３（ｂ）中にグラフＢ３で示すように、長波長の光をほとんど吸収しなくなる。この状態から交流電圧の周波数を高くしていくと、交流電圧が連続的に印加される時間が減少するために、色素分子が十分に電界方向に配向されなくなり、結果として光の吸収率が増えていき（換言すれば、透過率が減少していき）、周波数が数ｋＨｚ〜数百ｋＨｚ程度になると図３（ｂ）中にグラフＢ１で示すように、長波長の光のほとんどを吸収するようになる
以上述べたように、液晶フィルタ部３は、印加される交流電圧の電圧値の大小と、交流電圧の周波数の高低とによって、光の吸収率（光の透過率）が変化するものである。具体的には、液晶フィルタ部３は、印加される交流電圧の電圧値が大きければ、長波長の光に対する吸収率が減少し（透過率が増加し）、印加される交流電圧の電圧値が小さければ、長波長の光に対する吸収率が増加し（透過率が減少し）、また、印加される交流電圧の周波数が高ければ、長波長の光に対する吸収率が増加し（透過率が増加し）、印加される交流電圧の周波数が低ければ、長波長の光に対する吸収率が減少する（透過率が増加する）ことになる。
【００２２】
調色回路部４は、液晶フィルタ部３に所定の電圧値及び周波数の交流電圧を印加することで、液晶フィルタ部３の透過率（吸収率）を調整するためのものであり、図１に示すように商用電源等の交流電源ＡＣを元にして所定電圧の直流電源を生成する電源回路４ａと、電源回路４ａで生成した直流電源を元にして所定周波数の交流電源を生成するインバータ回路４ｂとで構成されている。
【００２３】
電源回路４ａは、図４に示すように、商用電源等の交流電源ＡＣの両端間に１次巻線Ｎ１が介装されたトランスＴＲ１と、トランスＴＲ１の２次巻線Ｎ２の両端がそれぞれ入力端子に接続されたダイオードブリッジＤＢ１と、ダイオードブリッジＤＢ１の出力端子間に接続された雑防用のコンデンサＣ３とを有している。このコンデンサＣ３の両端間には、スイッチング素子Ｑ３と、インダクタＬ２と、ダイオードＤ１とからなる降圧チョッパ回路ＢＣが接続されており、この降圧チョッパ回路ＢＣの出力端子間には、電解コンデンサＣ４が接続されている。また、電源回路４ａは、照明制御部５の出力する後述する第１の調色用の制御信号Ｓ２に応じて降圧チョッパ回路ＢＣのスイッチング素子Ｑ３をオンオフ制御するスイッチング制御部ＳＣ１を有している。
【００２４】
このような電源回路４ａによれば、スイッチング制御部ＳＣ１によりスイッチング素子Ｑ３のオンデューティを調整することによって、降圧チョッパ回路ＢＣの出力電圧を所望の値に設定することができ、この降圧チョッパ回路ＢＣの出力電圧が液晶フィルタ部３に印加される交流電圧の電圧値となる。
【００２５】
一方、インバータ回路４ｂは、例えば図５（ａ）に示すように、電解コンデンサＣ４に並列に接続されるスイッチング素子Ｑ４，Ｑ５の直列回路と、スイッチング素子Ｑ４，Ｑ５の直列回路に並列接続されるコンデンサＣ５，Ｃ６の直列回路と、スイッチング素子Ｑ４，Ｑ５の接続点に一端が接続されるインダクタＬ３と、後述する調色用の制御信号Ｓ３に応じて各スイッチング素子Ｑ４，Ｑ５をオンオフ制御するスイッチング制御部ＳＣ２とを有する所謂ハーフブリッジ方式のインバータ回路であり、インダクタＬ３の他端と、コンデンサＣ５，Ｃ６の接続点との間に液晶フィルタ部３が介装される。
【００２６】
このようなインバータ回路４ｂによれば、スイッチング制御部ＳＣ２により各スイッチング素子Ｑ４，Ｑ５のオンオフを切り替えるタイミングを制御することで、液晶フィルタ部３に印加する交流電圧の周波数の高低を調整することができるようになっている。
【００２７】
ところで、液晶フィルタ部３用のインバータ回路としては、図５（ａ）に示すものに限られるものではなく、例えば図５（ｂ）に示すようなインバータ回路４ｃを用いてもよい。
【００２８】
ここで、図５（ｂ）に示すインバータ回路４ｃは、電解コンデンサＣ４に並列に接続されるスイッチング素子Ｑ６，Ｑ７の直列回路と、該直列回路に並列に接続されるスイッチング素子Ｑ８，Ｑ９の直列回路と、スイッチング素子Ｑ６，Ｑ７の接続点に一端が接続されるインダクタＬ４と、各スイッチング素子Ｑ６〜Ｑ９をオンオフ制御するスイッチング制御部ＳＣ３とを有する所謂フルブリッジ方式のインバータ回路であり、インダクタＬ４の他端と、スイッチング素子Ｑ８，Ｑ９の接続点との間に液晶フィルタ部３が介装される。
【００２９】
このようなインバータ回路４ｃによれば、図５（ａ）に示すインバータ回路４ｂと同様に、スイッチング制御部ＳＣ３により各スイッチング素子Ｑ６〜Ｑ９のオンオフを切り替えるタイミングを制御することで、液晶フィルタ部３に印加する交流電圧の周波数の高低を調整することができる。
【００３０】
したがって、このような調色回路部４によれば、液晶フィルタ部３に印加する交流電圧の電圧値と周波数とを調整することで、液晶フィルタ部３の透過率を所望の値に設定することができる。
【００３１】
照明制御部５は、図１に示すように、マイクロコンピュータ等からなる制御部５ａと、照明装置１の調光、調色制御用のプログラムである照明プログラムが記憶された記憶部５ｂと、水晶振動子（図示せず）等を用いて時間をカウントするクロック部５ｃと、現時刻や起床設定時刻等の表示等、様々な機能の表示を行うための表示部５ｄと、現時刻の修正や、起床設定時刻の入力等を行うための操作部５ｅとを有している。ここで、クロック部５ｃや、表示部５ｄ、操作部５ｅは、従来の目覚まし装置にも用いられているように周知のものであるから説明を省略する。
【００３２】
制御部５ａは、記憶部５ｂに記憶されている照明プログラムに従って、調光回路部２に前述のパルス信号からなる調光用の制御信号Ｓ１を、調色回路部４に調色用の制御信号Ｓ２，Ｓ３をそれぞれ出力して、調光回路部２及び調色回路部４を制御する自動制御機能と、操作部５ｅの入力に応じて制御信号Ｓ１〜Ｓ３を出力して、調光回路部２及び調色回路部４を制御する手動制御機能とを有している。この他、制御部５ａは、操作部５ｅの入力に応じて現時刻（現在時刻）の設定、修正を行うとともに、クロック部５ｃに従って現時刻のカウントを行う機能や、現時刻を表示部５ｄに表示する機能、操作部５ｅの入力に応じて起床時刻の設定、修正等を行う機能等、目覚まし装置として必要な機能を有している。
【００３３】
記憶部５ｂは、ＲＡＭ等の記憶装置であって、制御部５ａにより調光回路部２及び調色回路部４を制御させるための照明プログラムが記憶されている。ここで、照明プログラムの一例としては、光刺激により就寝者を目覚めさせるための起床プログラムがあり、例えば、照明装置１の照射する光（以下、「照射光」と略す）により人（就寝者）を照らす際の照度と、照射光の色温度とを制御することによって、就寝者に自然界の光に近い光を照射することによって、就寝者を速やかに目覚めさせる（覚醒させる）ためのものである。
【００３４】
例えば、この起床プログラムは、操作部５ｅで入力された起床時刻（又はその１分前等の直前の時刻）以前は、照射光により就寝者を照らす際の照度、及び照射光の色温度をともに低くすることで、就寝者に朝の自然界の雰囲気を感じさせて眠りが浅くなるように誘導し、起床時刻以降は、照射光により就寝者を照らす際の照度、及び照射光の色温度をともに高くすることで、就寝者に覚醒を促すように構成されている。
【００３５】
以下に、このような起床プログラムについてさらに詳細に説明する。この起床プログラムは、図６（ａ）に示すように、操作部５ｅで入力された起床時刻（又はその１分前等の直前の時刻）である時刻ｔ３より所定時間前（例えば、３０分〜６０分前）の時刻ｔ１から時刻ｔ３の所定時間前（例えば、５分〜１０分前）の時刻ｔ２までの期間である低照度期間Ｔ１と、時刻ｔ２から時刻ｔ３までの期間である中照度期間Ｔ２と、時刻ｔ３から所定の時刻（例えば、起床プログラムの動作終了時刻）の期間である高照度期間Ｔ３との３つの期間に分けて照明装置１の動作（制御部５ａの動作）を制御することで、照射光による照度を図６（ａ）中にａで示すように変化させ、照射光の色温度を図６（ａ）中にｂで示すように変化させるように構成されている。
【００３６】
ここで、低照度期間Ｔ１は、照明装置１により就寝者に日の出（夜明け）前後の朝の自然界の雰囲気を感じさせるための期間であり、起床プログラムは、クロック部５ｃを用いてカウントした現時刻が時刻ｔ１となった際に、制御部５ａに制御信号Ｓ１を出力させて光源６の点灯を開始させ、この後に時刻ｔ２において照射光による照度がＬｘ１（例えば２５０ｌｘ以下）になるまで光源６の光度を徐々に高くするように、制御部５ａに制御信号Ｓ１を出力させる。また、低照度期間Ｔ１では、日の出前後、例えば日の出４０分後から日の出１時間後程度の光を演出するために、起床プログラムは、照射光の色温度が徐々に上昇する、具体的には時刻ｔ１で色温度を３０００Ｋに設定し、徐々に色温度を上昇させて時刻ｔ２で色温度を４０００Ｋに設定するように、制御部５ａに制御信号Ｓ２，Ｓ３を出力させる。
【００３７】
ところで本実施形態で用いている光源６は、図６（ｂ）に示すように放射する光の色温度が３０００Ｋの白熱灯であり、照明プログラムである起床プログラムで制御する色温度の範囲内において低い（照明プログラムである起床プログラムで制御する色温度の範囲内において最低値である）ので、起床プログラムは、光源６の光度と、色温度が低い光に対する液晶フィルタ部３の透過率とが反比例するように調光回路部２及び調色回路部４を制御するように設定されている。したがって、液晶フィルタ部３は、時刻ｔ１において透過率が最高になるとともに、時刻ｔ２に近づくにつれて透過率が徐々に低くなるように制御される。
【００３８】
中照度期間Ｔ２は、日の出後の朝の自然界の雰囲気を就寝者に感じさせるための期間であり、起床プログラムは、照射光による照度がＬｘ２（例えば５００ｌｘ〜１０００ｌｘ程度）になるまで光源６の光度を高くするように、制御部５ａに制御信号Ｓ１を出力させる。また、中照度期間Ｔ２では、起床プログラムは、低照度期間Ｔ１で設定した色温度を保持するように、すなわち照射光の色温度が４０００Ｋである状態を維持するように、制御部５ａに制御信号Ｓ２，Ｓ３を出力させる。したがって、この中照度期間Ｔ２では、液晶フィルタ部３の透過率は略一定に保たれる。
【００３９】
高照度期間Ｔ３は、日の出後の日射がある状態、すなわち朝から昼にかけての自然界の雰囲気を人に感じさせるための期間であり、起床プログラムは、照射光による照度がＬｘ３（例えば２０００ｌｘ以上）になるまで光源６の光度を高くするように、制御部５ａに制御信号Ｓ１を出力させる。また、高照度期間Ｔ３では、午後３時程度の光を演出するために、起床プログラムは、照射光の色温度を徐々に上昇させる、具体的には照射光の色温度が５０００Ｋ以上となるように、制御部５ａに制御信号Ｓ２，Ｓ３を出力させる。したがって、この高照度期間Ｔ３では、液晶フィルタ部３の透過率が中照度期間Ｔ２のときよりも減少させられる。
【００４０】
そして、高照度期間Ｔ３を経た後は、起床プログラムは、動作を終了し、これにより光源６が消灯される。
【００４１】
したがって、以上述べた起床プログラムによれば、照明装置１は、図６（ａ）に示すように、低照度期間Ｔ１において光出力及び色温度が低い照射光を就寝者に照射することで、朝の自然界に近い雰囲気を就寝者に感じさせ、続く中照度期間Ｔ２において就寝者の眠り（睡眠レベル）が浅くなるように促し、この後の高照度期間Ｔ３において光出力及び色温度が高い照射光を就寝者に照射することで就寝者に覚醒を促すように、動作することになる。これにより、就寝者に朝の起床をスムーズに行わせることが可能となる。また、一般的な音刺激により就寝者を目覚めさせる目覚し装置とは異なり、耳障りな音を鳴動させることなく、就寝者に覚醒を促すことから、起床時に人に不快感を与えることを抑制できる。尚、本実施形態の照明装置１に音刺激を発生させるための装置を付設してもよいが、この場合であっても、光刺激により就寝者に覚醒を促していることによって、音刺激による不快感を抑制できる。
【００４２】
尚、照明プログラムとしては、上記の起床プログラムに限られるものではなく、光源６の光度とともに色温度を低くするような就寝プログラムであってもよいし、また、時間帯に応じて（例えば、図６（ｂ）に示すような時間帯と色温度の情報に基づいて）照射光の色温度を変化させることで、人に自然界の雰囲気を感じさせるようなものであってもよく、さらには所望の照明が得られるように照明プログラムを自由に設定できるようにしてもよい。この点は後述する他の実施形態においても同様である。
【００４３】
以上述べた調光回路部２と、液晶フィルタ部３と、調色回路部４と、照明制御部５とで照明装置１は構成されている。
【００４４】
そして、本実施形態の照明装置１によれば、調光回路部２により光源６の光度（明るさ）を所望の値に設定することができるとともに、調色回路部４により液晶フィルタ部３の透過率を調整することで照射光の色温度を所望の値に設定することができるから、照射光により人を照らす際の照度と、照射光の色温度を個別に制御することが可能となり、例えば、就寝時には照度及び色温度を低くし、起床時には照度及び色温度を高くするような制御が行えるようになり、結果として幅広い照明制御が行えるという効果を奏する。また、照明装置１によれば、上記のように照射光により人を照らす際の照度と色温度を個別に制御できるので、上記の起床プログラムに従って、操作部５ｅで入力された起床時刻（又はその１分前等の直前の時刻）以前は、照射光により就寝者を照らす際の照度、及び照射光の色温度をともに低くすることで、就寝者に朝の自然界の雰囲気を感じさせて眠りが浅くなるように誘導するという動作が可能になる。また、起床時刻以降は、照射光により就寝者を照らす際の照度、及び照射光の色温度をともに高くすることで、就寝者に覚醒を促すという動作が可能となる。これにより、就寝者に朝の起床をスムーズに行わせることができるようになる。
【００４５】
さらに、上述したように、本実施形態の照明装置１において照明プログラムである起床プログラムは、光源６が放射する光の色温度が、起床プログラムで制御する色温度の範囲内において低い（照明プログラムである起床プログラムで制御する色温度の範囲内において最低値の３０００Ｋ）場合に、光源６の光度と、色温度が低い光に対する液晶フィルタ部３の透過率とが反比例するように調光回路部２及び調色回路部４を制御するようにプログラムしている。そのため、照明装置１によれば、光源６の光度を低くした際には、液晶フィルタ部３の透過率が高くなるために、就寝者を照らす照度及び色温度が低い照射光を照射することが可能になり、光源６の光度を高くした際には、液晶フィルタ部３の透過率が低くなるために、就寝者を照らす照度及び色温度が高い照射光を照射することが可能になる。これにより、本実施形態の照明装置１によれば、放射する光の色温度が低い光源６を用いた場合に、照射光の色温度を広範囲に変化させることができるという効果を奏する。
【００４６】
（実施形態２）
本実施形態の照明装置１０は、実施形態の照明装置１と同様に目覚まし装置としての機能を有するものであって、図７に示すように、放電灯（例えば蛍光灯）からなる光源６０の調光制御用の調光回路部２０と、２色性色素を有するネマティック液晶を用いて形成されるとともに光源６０の光軸上に配置され、印加電圧に応じて所定の色温度の光（本実施形態では、主に色温度の高い、すなわち可視領域において短波長の光）の透過率が変化する液晶フィルタ部３０と、該液晶フィルタ部３０に印加する交流電圧を制御する調色回路部４０と、予め設定されたプログラムに従って調光回路部２０及び調色回路部４０を制御する照明制御部５０とを備えている。
【００４７】
調光回路部２０は、図８に示すように、交流電源ＡＣを直流電源に変換する電源回路部２０ａと、電源回路２０ａが出力する直流電源を元に光源６０駆動用の高周波電圧を生成するインバータ回路２０ｂとで構成されている。
【００４８】
電源回路２０ａは、図８に示すように、商用電源等の交流電源ＡＣの両端にそれぞれ入力端子が接続されたダイオードブリッジＤＢ２と、ダイオードブリッジＤＢ２の出力端子間に接続された昇圧チョッパ用のチョークコイルからなるインダクタＬ５とスイッチング素子Ｑ１０との直列回路、及びインダクタＬ５とスイッチング素子Ｑ１との接続点にアノードが接続されたダイオードＤ２からなる昇圧チョッパ回路と、ダイオードＤ２のカソードとグラウンドとの間に接続される平滑用のコンデンサＣ８と、スイッチング制御部ＳＣ４とで構成されている。この電源回路２０ａでは、スイッチング素子Ｑ１０がオンのときに、交流電源ＡＣ、ダイオードブリッジＤＢ２、インダクタＬ５、スイッチング素子Ｑ１０、ダイオードブリッジＤＢ２、交流電源ＡＣの経路で電流が流れ、スイッチング素子Ｑ１０がオフのときに、交流電源ＡＣ、ダイオードブリッジＤＢ２、インダクタＬ５、ダイオードＤ１、コンデンサＣ８、ダイオードブリッジＤＢ２、交流電源ＡＣの経路で電流が流れることで、スイッチング素子Ｑ１０がオンの際にインダクタＬ５に蓄積されたエネルギーの分だけ、コンデンサＣ８に生じる電圧が上昇することになる。尚、昇圧チョッパ回路は、従来周知のものであるから詳細な説明は省略する。
【００４９】
したがって、電源回路２０ａによれば、スイッチング制御部ＳＣ４によりスイッチング素子Ｑ１０のオンデューティを調整することによって、昇圧チョッパ回路の出力電圧を所望の値に設定することができ、この昇圧チョッパ回路の出力電圧がインバータ回路２０ｂに出力されることになる。
【００５０】
一方、インバータ回路２０ｂは、図８に示すように、コンデンサＣ８に並列に接続されるスイッチング素子Ｑ１１，Ｑ１２及び抵抗Ｒ４からなる直列回路と、スイッチング素子Ｑ１２と抵抗Ｒ４の直列回路に並列接続される直流カット用のコンデンサＣ９、フィラメント予熱用のコンデンサＣ１０、及びフィラメント予熱用のトランスＴＲ２の１次巻線Ｎ１０からなる直列回路と、コンデンサＣ１０とトランスＴＲ２の１次巻線Ｎ１０の直列回路に並列に接続される共振用のインダクタＬ６及び共振用のコンデンサＣ１１の直列回路と、スイッチング制御部ＳＣ４とで構成されている。また、インバータ回路２０ｂは、光源６０の一方のフィラメント６０ａ間に直列接続されるトランスＴＲ２の一方の２次巻線Ｎ２１及び共振用のコンデンサＣ１２の直列回路と、光源６０の他方のフィラメント６０ｂ間に直列接続されるトランスＴＲ２の他方の２次巻線Ｎ２２及び共振用のコンデンサＣ１３の直列回路とを有し、光源６０は、コンデンサＣ１１の両端間に接続されており、これにより光源６０に適切な電流を供給することができるようになっている。
【００５１】
したがって、インバータ回路２０ｂによれば、スイッチング制御部ＳＣ４によりスイッチング素子Ｑ１１，Ｑ１２がオンオフ操作されることにより、電源回路２０ａより得た出力電圧を元に高周波電圧が生成され、これにより光源６０を点灯させることができる。
【００５２】
さらに、インバータ回路２０ｂは、スイッチング素子Ｑ１２のソース電圧を元に、光源６０に印加する高周波電圧の周波数を制御する調光制御部を有しており、この調光制御部は、スイッチング素子Ｑ１２と抵抗Ｒ４との接続点に一端が接続された抵抗Ｒ５と、反転入力端子に抵抗Ｒ５の他端が接続され、反転入力端子に調光レベルの基準を与える後述する照明制御部５０の制御信号Ｓ４が入力されるオペアンプＯＰと、オペアンプＯＰの出力端子と非反転入力端子との間に接続される抵抗Ｒ６及びコンデンサＣ１４からなる並列回路と、オペアンプＯＰの出力端子に一端が接続される抵抗Ｒ７と、抵抗Ｒ７の他端にカソードが接続され、アノードがスイッチング制御部ＳＣ４に接続されるダイオードＤ３と、ダイオードＤ３のアノードとグラウンドとの間に接続される抵抗Ｒ８と、スイッチング制御部ＳＣ４とで構成されている。つまり、この調光制御部では、オペアンプＯＰの反転入力端子に入力される制御信号Ｓ４の電圧と、非反転入力端子に入力される電圧とを比較し、この比較結果をスイッチング制御部ＳＣ４に出力するようになっている。そして、スイッチング制御部ＳＣ４は、上記の比較結果に基づいて各スイッチング素子Ｑ１０，Ｑ１１，Ｑ１２のオンオフを制御するように構成されており、これにより光源６０に供給する高周波電圧の電圧値及び周波数が調整されて、所望の光度で光源６０を点灯させることができるようになっている
したがって、以上により構成された調光回路部２０によれば、オペアンプＯＰの反転入力端子に入力される制御信号Ｓ４によって、光源６０の調光制御を行うことができるのである。
【００５３】
液晶フィルタ部３０は、分子配向により光吸収率が変化する２色性色素として、短波長の光を吸収して色温度を減少させる２色性色素を有するネマティック液晶を用いて形成された黄色液晶フィルタである。ここで、短波長の光を吸収して色温度を減少させる２色性色素としては、ネマティック液晶３ｂに対して溶解性を有するものが望ましく、例えば、アゾ系色素が好適である。尚、このような液晶フィルタ部３０は、２色性色素の種類が異なる点を除いては、上記実施形態１の液晶フィルタ部３と同様の構成を有しているため、他の構成については説明を省略する。
【００５４】
以下、液晶フィルタ部３０の透過率特性について図９を参照して説明する。まず液晶フィルタ部３０に交流電圧が印加されていない場合は、２色性色素の色素分子がネマティック液晶の液晶分子とともに入射偏光に平行に配向しており（ホモジニアス配向）、このとき細長い２色性色素分子の軸が偏光と平行であるため、２色性色素の特性に従って、図９中にグラフＹ１で示すように短波長の光を吸収する。この状態から液晶フィルタ部３０に交流電圧を印加すると、液晶分子とともに色素分子が電界方向に配向して吸収が解消し、これにより図９中にグラフＹ２で示すように、短波長の光に対する吸収率が減少し（換言すれば、透過率が増加し）、液晶フィルタ部３０に印加される交流電圧の電圧値が所定値以上となると、図９中にグラフＹ３で示すように、短波長の光をほとんど吸収しなくなり、略全ての波長の光に対して略１００％の透過率を有するようになる。
【００５５】
一方、液晶フィルタ部３０に、例えば電圧値が約１５Ｖ以上で、周波数が数百Ｈｚ〜数ｋＨｚと低い交流電圧を印加した場合には、液晶分子とともに色素分子が十分に電界方向に配向できる時間が増えるために光の吸収率が減少し、図９中にグラフＹ３で示すように、短波長の光をほとんど吸収しなくなる。この状態から交流電圧の周波数を高くしていくと、交流電圧が連続的に印加される時間が減少するために、色素分子が十分に電界方向に配向されなくなり、結果として光の吸収率が増えていき（換言すれば透過率が減っていき）、周波数が数ｋＨｚ〜数百ｋＨｚ程度になると図９中にグラフＹ１で示すように、短波長の光のほとんどを吸収するようになる。
【００５６】
以上述べたように、液晶フィルタ部３０は、印加される交流電圧の電圧値の大小と、交流電圧の周波数の高低とによって、光の吸収率（光の透過率）が変化するものである。具体的には、液晶フィルタ部３０は、印加される交流電圧の電圧値が大きければ、短波長の光に対する吸収率が減少し、印加される交流電圧の電圧値が小さければ、短波長の光に対する吸収率が増加し、また、印加される交流電圧の周波数が高ければ、短波長の光に対する吸収率が増加し、印加される交流電圧の周波数が低ければ、短波長の光に対する吸収率が減少することになる。
【００５７】
調色回路部４０は、液晶フィルタ部３０に所定の電圧値及び周波数の交流電圧を印加することで、液晶フィルタ部３０の透過率（吸収率）を調整するためのものであり、実施形態１の調色回路部４と同様に、電源回路４０ａと、インバータ回路４０ｂとで構成されている。尚、電源回路４０ａとインバータ回路４０ｂは、上記実施形態１の電源回路４ａとインバータ回路４ｂ，４ｃと同様のものを採用できるから、本実施形態では説明を省略する。
【００５８】
したがって、本実施形態の調色回路部４０によれば、液晶フィルタ部３０に印加する交流電圧の電圧値と周波数とを調整することで、液晶フィルタ部３０の透過率を所望の値に設定することができる。
【００５９】
照明制御部５０は、図７に示すように、マイクロコンピュータ等からなる制御部５０ａと、照明装置１０の調光、調色制御用のプログラムである照明プログラムが記憶された記憶部５０ｂとを有するとともに、上記実施形態１と同様のクロック部５ｃと、表示部５ｄと、操作部５ｅとを有している。
【００６０】
制御部５０ａは、記憶部５０ｂに記憶されている照明プログラムに従って、調光回路部２０に調光レベルの基準を与える前述の制御信号Ｓ４を出力するとともに、調色回路部４０に液晶フィルタ部３０の透過率を制御するための制御信号Ｓ２，Ｓ３を出力することで、調光回路部２０及び調色回路部４０を制御する自動制御機能を有している。また、制御部５０ａは、操作部５ｅの入力に応じて制御信号Ｓ２〜Ｓ４を出力して、調光回路部２０及び調色回路部４０を制御する手動制御機能を有する他、操作部５ｅの入力に応じて現時刻の設定、修正を行うとともに、クロック部５ｃに従って現時刻のカウントを行う機能や、現時刻を表示部５ｄに表示する機能、操作部５ｅの入力に応じて起床時刻の設定、修正等を行う機能等、目覚まし装置として必要な機能を有している。
【００６１】
記憶部５０ｂは、ＲＡＭ等の記憶装置であって、制御部５０ａにより調光回路部２０及び調色回路部４０を制御させるための照明プログラムが記憶されている。ここで、照明プログラムの一例としては、上記実施形態１と同様の起床プログラムであり、以下に、本実施形態の起床プログラムについて詳細に説明する。
【００６２】
本実施形態の起床プログラムは、図６（ａ）に示すように、操作部５ｅで入力された起床時刻（又はその１分前等の直前の時刻）である時刻ｔ３より所定時間前（例えば、３０分〜６０分前）の時刻ｔ１から時刻ｔ３の所定時間前（例えば、５分〜１０分前）の時刻ｔ２までの期間である低照度期間Ｔ１と、時刻ｔ２から時刻ｔ３までの期間である中照度期間Ｔ２と、時刻ｔ３から所定の時刻（例えば、起床プログラムの動作終了時刻）の期間である高照度期間Ｔ３との３つの期間に分けて照明装置１の動作（制御部５ａの動作）を制御することで、照射光による照度を図６（ａ）中にａで示すように変化させ、照射光の色温度を図６（ａ）中にｃで示すように変化させるように構成されている。
【００６３】
ここで、低照度期間Ｔ１は、照明装置１により就寝者に日の出（夜明け）前後の朝の自然界の雰囲気を感じさせるための期間であり、起床プログラムは、クロック部５ｃを用いてカウントした現時刻が時刻ｔ１となった際に、制御部５０ａに制御信号Ｓ４を出力させて光源６０の点灯を開始させ、この後に時刻ｔ２において照射光による照度がＬｘ１（例えば２５０ｌｘ以下）になるまで光源６０の光度を徐々に高くするように、制御部５０ａに制御信号Ｓ４を出力させる。また、低照度期間Ｔ１では、日の出前後、例えば日の出４０分後から日の出１時間後程度の光を演出するために、起床プログラムは、照射光の色温度が徐々に上昇する、具体的には時刻ｔ１で色温度を３０００Ｋに設定し、徐々に色温度を上昇させて時刻ｔ２で色温度を４０００Ｋに設定するように、制御部５０ａに制御信号Ｓ２，Ｓ３を出力させる。
【００６４】
ところで本実施形態で用いている光源６０は、図６（ｂ）に示すように放射する光の色温度が５０００Ｋの蛍光灯であり、照明プログラムである起床プログラムで制御する色温度の範囲内において高い（照明プログラムである起床プログラムで制御する色温度の範囲内において最高値である）ので、起床プログラムは、光源６０の光度と、色温度が高い光に対する液晶フィルタ部３０の透過率とが比例するように調光回路部２０及び調色回路部４０を制御するように設定されている。したがって、液晶フィルタ部３０は、時刻ｔ１において透過率が最低になるとともに、時刻ｔ２に近づくにつれて透過率が徐々に高くなるように制御される。
【００６５】
中照度期間Ｔ２は、日の出後の朝の自然界の雰囲気を就寝者に感じさせるための期間であり、起床プログラムは、照射光による照度がＬｘ２（例えば５００ｌｘ〜１０００ｌｘ程度）になるまで光源６０の光度を高くするように、制御部５０ａに制御信号Ｓ４を出力させる。また、中照度期間Ｔ２では、起床プログラムは、低照度期間Ｔ１で設定した色温度を保持するように、すなわち照射光の色温度が４０００Ｋである状態を維持するように、制御部５０ａに制御信号Ｓ２，Ｓ３を出力させる。したがって、この中照度期間Ｔ２では、液晶フィルタ部３０の透過率は略一定に保たれる。
【００６６】
高照度期間Ｔ３は、日の出後の日射がある状態、すなわち朝から昼にかけての自然界の雰囲気を人に感じさせるための期間であり、起床プログラムは、照射光による照度がＬｘ３（例えば２０００ｌｘ以上）になるまで光源６０の光度を高くするように、制御部５０ａに制御信号Ｓ４を出力させる。また、高照度期間Ｔ３では、午後３時程度の光を演出するために、起床プログラムは、照射光の色温度を徐々に上昇させる、具体的には照射光の色温度が５０００Ｋとなるように、制御部５０ａに制御信号Ｓ２，Ｓ３を出力させる。したがって、この高照度期間Ｔ３では、光源６０の光をそのまま照射するために、液晶フィルタ部３の透過率が最も高く設定される。
【００６７】
そして、高照度期間Ｔ３を経た後は、起床プログラムは、動作を終了し、これにより光源６０が消灯される。
【００６８】
したがって、以上述べた起床プログラムによれば、照明装置１０は、図６（ａ）に示すように、低照度期間Ｔ１において光出力及び色温度が低い照射光を就寝者に照射することで、朝の自然界に近い雰囲気を就寝者に感じさせ、続く中照度期間Ｔ２において就寝者の眠り（睡眠レベル）が浅くなるように促し、この後の高照度期間Ｔ３において光出力及び色温度が高い照射光を就寝者に照射することで就寝者に覚醒を促すように、動作することになる。これにより、就寝者に朝の起床をスムーズに行わせることが可能となる。
【００６９】
以上述べた調光回路部２０と、液晶フィルタ部３０と、調色回路部４０と、照明制御部５０とで照明装置１０は構成されている。
【００７０】
そして、本実施形態の照明装置１０によれば、調光回路部２０により光源６０の光度を所望の値に設定することができるとともに、調色回路部４０により液晶フィルタ部３０の透過率を調整することで照射光の色温度を所望の値に設定することができるから、照射光の光度と色温度を個別に制御することが可能となり、例えば、就寝時には照射光の光度及び色温度を低くし、起床時には照射光の光度及び色温度を高くするような制御が行えるようになり、結果として幅広い照明制御が行えるという効果を奏する。また、照明装置１０によれば、上記のように照射光の光度と色温度とを個別に制御できるため、上記の起床プログラムに従って、操作部５ｅで入力された起床時刻（又はその１分前等の直前の時刻）以前は、照射光により就寝者を照らす際の照度、及び照射光の色温度をともに低くすることで、就寝者に朝の自然界の雰囲気を感じさせて眠りが浅くなるように誘導し、起床時刻以降は、照射光により就寝者を照らす際の照度、及び照射光の色温度をともに高くすることで、就寝者に覚醒を促すという動作が可能となり、これにより、就寝者に朝の起床をスムーズに行わせることが可能となる。
【００７１】
さらに、上述したように、本実施形態の照明装置１０において照明プログラムである起床プログラムは、光源６０が放射する光の色温度が、起床プログラムで制御する色温度の範囲内において高い（照明プログラムである起床プログラムで制御する色温度の範囲内において最低値の５０００Ｋ）場合に、光源６０の光度と、色温度が高い光に対する液晶フィルタ部３０の透過率とが比例するように調光回路部２０及び調色回路部４０を制御するようにプログラムしている。そのため、照明装置１０によれば、光源６０の光度を低くした際には、液晶フィルタ部３０の透過率が低くなるために、就寝者を照らす照度及び色温度が低い照射光を照射することが可能になり、光源６０の光度を高くした際には、液晶フィルタ部３０の透過率が高くなるために、就寝者を照らす照度及び色温度が高い照射光を照射することが可能になる。これにより、本実施形態の照明装置１０によれば、放射する光の色温度が高い光源６０を用いた場合に、照射光の色温度を広範囲に変化させることができるという効果を奏する。
【００７２】
（実施形態３）
本実施形態の照明装置１１は、実施形態の照明装置１，２と同様に目覚まし装置としての機能を有するものであって、図１０に示すように、放電灯（例えば蛍光灯）からなる光源６０の調光制御用の調光回路部２０と、２色性色素を有するネマティック液晶を用いて形成されるとともに光源６０の光軸上に配置され、印加電圧に応じて色温度が低い光（可視領域において長波長の光）の透過率が変化する青色液晶フィルタ３１Ａ及び印加電圧に応じて色温度が高い光（可視領域において短波長の光）の透過率が変化する黄色液晶フィルタ３１Ｂを有する液晶フィルタ部３１と、該液晶フィルタ部３１の各フィルタ３１Ａ，３１Ｂにそれぞれ印加する交流電圧を制御する調色回路部４１Ａ，４１Ｂと、予め設定されたプログラムに従って調光回路部２０及び調色回路部４１Ａ，４１Ｂを制御する照明制御部５１とを備えている。尚、調光回路部２０は、上記実施形態２と同様のものであるから、本実施形態では説明を省略する。
【００７３】
液晶フィルタ部３１は、青色液晶フィルタ３１Ａと黄色液晶フィルタ３１Ｂとの２枚の液晶フィルタとを重ね合わせることで構成されている。ここで、青色液晶フィルタ３１Ａは、実施形態１の液晶フィルタ部３と同様に、分子配向により光吸収率が変化する２色性色素として、長波長の光を吸収して色温度を増加させるアントラキノン系色素を有するネマティック液晶を用いて、色温度が低い光に対して透過率が変化するように構成された高照度用液晶フィルタであり、その透過率特性は、実施形態１で述べたとおりである。一方、黄色液晶フィルタ３１Ｂは、実施形態２の液晶フィルタ部３０と同様に、分子配向により光吸収率が変化する２色性色素として、アゾ系色素を有するネマティック液晶を用いて、色温度が高い光に対して透過率が変化するように構成された低照度用液晶フィルタであり、その透過率特性は、実施形態２で述べたとおりである。
【００７４】
したがって、この液晶フィルタ部３１は、青色液晶フィルタ３１Ａと、黄色液晶フィルタ３１Ｂとに、それぞれ印加される交流電圧の電圧値の大小と、交流電圧の周波数の高低とによって、光の吸収率（光の透過率）が変化するものである。具体的には、液晶フィルタ部３１は、青色液晶フィルタ３１Ａに印加される交流電圧の電圧値が大きければ、長波長の光に対する吸収率が減少し、印加される交流電圧の電圧値が小さければ、長波長の光に対する吸収率が増加し、また、印加される交流電圧の周波数が高ければ、長波長の光に対する吸収率が増加し、印加される交流電圧の周波数が低ければ、長波長の光に対する吸収率が減少することになる。
【００７５】
一方、液晶フィルタ部３１は、黄色液晶フィルタ３１Ｂに印加される交流電圧の電圧値が大きければ、短波長の光に対する吸収率が減少し、印加される交流電圧の電圧値が小さければ、短波長の光に対する吸収率が増加し、また、印加される交流電圧の周波数が高ければ、短波長の光に対する吸収率が増加し、印加される交流電圧の周波数が低ければ、短波長の光に対する吸収率が減少することになる。
【００７６】
さらに、このような液晶フィルタ部３１によれば、両液晶フィルタ３１Ａ，３１Ｂの透過率をともに増加させれば、可視領域における全波長に対する透過率を増加させることが可能となり、両液晶フィルタ３１Ａ，３１Ｂの透過率をともに減少させれば、可視領域における全波長に対する透過率を減少させることが可能となる。
【００７７】
調色回路部４１Ａは、液晶フィルタ部３１の青色液晶フィルタ３１Ａに所定の電圧値及び周波数の交流電圧を印加することで、液晶フィルタ部３１の透過率（吸収率）を調整するためのものであり、実施形態２と同様の電源回路４０ａとインバータ回路４０ｂとで構成されている。尚、本実施形態では、調色回路部４１Ａは、制御部５１ａが出力する後述の制御信号Ｓ２Ａにより電源回路４０ａが、後述の制御信号Ｓ３Ａによりインバータ回路４０ｂがそれぞれ制御されるように構成されている。
【００７８】
一方、調色回路部４１Ｂは、液晶フィルタ部３１の黄色液晶フィルタ３１Ｂに所定の電圧値及び周波数の交流電圧を印加することで、液晶フィルタ部３１の透過率（吸収率）を調整するためのものであり、調色回路部４１Ａと同様に電源回路４０ａとインバータ回路４０ｂを有している。また本実施形態では、調色回路部４１Ｂは、制御部５１ａが出力する後述の制御信号Ｓ２Ｂにより電源回路４０ａが、後述の制御信号Ｓ３Ｂによりインバータ回路４０ｂがそれぞれ制御されるように構成されている。
【００７９】
尚、これら調色回路部４１Ａ，４１Ｂの動作は、上記実施形態１で述べた調色回路部４と同様であるから、本実施形態では説明を省略する。
【００８０】
照明制御部５１は、図１０に示すように、マイクロコンピュータ等からなる制御部５１ａと、照明装置１１の調光、調色制御用のプログラムである照明プログラムが記憶された記憶部５１ｂとを有するとともに、上記実施形態１と同様のクロック部５ｃと、表示部５ｄと、操作部５ｅとを有している。
【００８１】
制御部５１ａは、記憶部５１ｂに記憶されている照明プログラムに従って、調光回路部２０に調光レベルの基準を与える制御信号Ｓ４を、調色回路部４１Ａに液晶フィルタ部３１の青色液晶フィルタ３１Ａの透過率を制御するための制御信号Ｓ２Ａ，Ｓ３Ａを、調色回路部４１Ｂに液晶フィルタ部３１の黄色液晶フィルタ３１Ｂの透過率を制御するための制御信号Ｓ２Ｂ，Ｓ３Ｂを、それぞれ出力することで、調光回路部２０及び調色回路部４１Ａ，４１Ｂを制御する自動制御機能を有している。また、制御部５１ａは、操作部５ｅの入力に応じて制御信号Ｓ２Ａ，Ｓ２Ｂ，Ｓ３Ａ，Ｓ３Ｂ，Ｓ４を出力して、調光回路部２０及び調色回路部４１Ａ，４１Ｂを制御する手動制御機能を有する他、操作部５ｅの入力に応じて現時刻の設定、修正を行うとともに、クロック部５ｃに従って現時刻のカウントを行う機能や、現時刻を表示部５ｄに表示する機能、操作部５ｅの入力に応じて起床時刻の設定、修正等を行う機能等、目覚まし装置として必要な機能を有している。
【００８２】
記憶部５１ｂは、ＲＡＭ等の記憶装置であって、制御部５１ａにより調光回路部２０及び調色回路部４１Ａ，４１Ｂを制御させるための照明プログラムが記憶されている。ここで、照明プログラムは、上記実施形態１と同様な起床プログラムであり、以下に、本実施形態の起床プログラムについて詳細に説明する。
【００８３】
本実施形態の起床プログラムは、図６（ａ）に示すように、操作部５ｅで入力された起床時刻（又はその１分前等の直前の時刻）である時刻ｔ３より所定時間前（例えば、３０分〜６０分前）の時刻ｔ１から時刻ｔ３の所定時間前（例えば、５分〜１０分前）の時刻ｔ２までの期間である低照度期間Ｔ１と、時刻ｔ２から時刻ｔ３までの期間である中照度期間Ｔ２と、時刻ｔ３から所定の時刻（例えば、起床プログラムの動作終了時刻）の期間である高照度期間Ｔ３との３つの期間に分けて照明装置１の動作（制御部５ａの動作）を制御することで、照射光による照度を図６（ａ）中にａで示すように変化させ、照射光の色温度を図６（ａ）中にｃで示すように変化させるように構成されている。
【００８４】
ここで、低照度期間Ｔ１は、照明装置１により就寝者に日の出（夜明け）前後の朝の自然界の雰囲気を感じさせるための期間であり、起床プログラムは、クロック部５ｃを用いてカウントした現時刻が時刻ｔ１となった際に、制御部５１ａに制御信号Ｓ４を出力させて光源６０の点灯を開始させ、この後に時刻ｔ２において照射光による照度がＬｘ１（例えば２５０ｌｘ以下）になるまで光源６０の光度を徐々に高くするように、制御部５１ａに制御信号Ｓ４を出力させる。また、低照度期間Ｔ１では、日の出前後、例えば日の出４０分後から日の出１時間後程度の光を演出するために、起床プログラムは、照射光の色温度が徐々に上昇する、具体的には時刻ｔ１で色温度を３０００Ｋに設定し、徐々に色温度を上昇させて時刻ｔ２で色温度を４０００Ｋに設定するように、制御部５１ａに制御信号Ｓ２Ａ，Ｓ３Ａ，Ｓ２Ｂ，Ｓ３Ｂを出力させる。
【００８５】
ところで本実施形態で用いている光源６０は、上記実施形態２で述べたように、放射する光の色温度が約５０００Ｋの蛍光灯であるから、起床プログラムは、光源６０の光度と、色温度が高い光に対する液晶フィルタ部３１の透過率（換言すれば、黄色液晶フィルタ３１Ｂの透過率）とが比例するように調光回路部２０及び調色回路部４１Ａ，４１Ｂを制御するように設定されている。したがって、液晶フィルタ部３１は、時刻ｔ１において黄色液晶フィルタ３１Ｂの透過率が最低になるとともに、時刻ｔ２に近づくにつれて黄色液晶フィルタ３１Ｂの透過率が徐々に高くなるように制御される。また、液晶フィルタ部３１は、低照度期間Ｔ１中、青色液晶フィルタ３１Ａの透過率が最も高くなるように制御される。
【００８６】
中照度期間Ｔ２は、日の出後の朝の自然界の雰囲気を就寝者に感じさせるための期間であり、起床プログラムは、照射光による照度がＬｘ２（例えば５００ｌｘ〜１０００ｌｘ程度）になるまで光源６０の光度を高くするように、制御部５１ａに制御信号Ｓ４を出力させる。また、中照度期間Ｔ２では、起床プログラムは、低照度期間Ｔ１で設定した色温度を保持するように、すなわち照射光の色温度が約４０００Ｋである状態を維持するように、制御部５１ａに制御信号Ｓ２Ａ，Ｓ３Ａ，Ｓ２Ｂ，Ｓ３Ｂを出力させる。したがって、この中照度期間Ｔ２では、液晶フィルタ部３１の各フィルタ３１Ａ，３１Ｂの透過率は略一定に保たれる。
【００８７】
高照度期間Ｔ３は、日の出後の日射がある状態、すなわち朝から昼にかけての自然界の雰囲気を人に感じさせるための期間であり、起床プログラムは、照射光による照度がＬｘ３（例えば２０００ｌｘ以上）になるまで光源６０の光度を高くするように、制御部５１ａに制御信号Ｓ４を出力させる。
【００８８】
また、高照度期間Ｔ３では、午後３時程度の光を演出するために、起床プログラムは、照射光の色温度を徐々に上昇させる、具体的には照射光の色温度が５０００Ｋ以上となるように、制御部５１ａに制御信号Ｓ２Ａ，Ｓ３Ａ，Ｓ２Ｂ，Ｓ３Ｂを出力させる。
【００８９】
ここで、光源６０の色温度は上述したように約５０００Ｋであるから、照射光の色温度が５０００Ｋになるまでは、光源６０の光をそのまま照射すればよく、この場合、液晶フィルタ部３１は、黄色液晶フィルタ３１Ｂの透過率が最も高くなるように制御される。そして、液晶フィルタ部３１は、照射光の色温度が５０００Ｋになった後には、青色液晶フィルタ３１Ａの透過率を低下させることで、長波長の光を吸収して照射光の色温度を高くするように制御される。
【００９０】
つまり、本実施形態では、液晶フィルタ部３１として、色温度を低くする黄色液晶フィルタ３１Ｂに加えて、色温度を高くする青色液晶フィルタ３１Ａを用いているため、実施形態２の照明装置１０とは異なり、照射光の色温度を、光源６０の色温度である５０００Ｋ以上にまで高くすることができ、実施形態２よりも幅広い照明制御が行えるようになっているのである。
【００９１】
そして、高照度期間Ｔ３を経た後は、起床プログラムは、動作を終了し、これにより光源６０が消灯される。
【００９２】
したがって、以上述べた起床プログラムによれば、照明装置１１は、図６（ａ）に示すように、低照度期間Ｔ１において光出力及び色温度が低い照射光を就寝者に照射することで、朝の自然界に近い雰囲気を就寝者に感じさせ、続く中照度期間Ｔ２において就寝者の眠り（睡眠レベル）が浅くなるように促し、この後の高照度期間Ｔ３において光出力及び色温度が高い照射光を就寝者に照射することで就寝者に覚醒を促すように、動作することになる。これにより、就寝者に朝の起床をスムーズに行わせることが可能となる。また、一般の目覚し装置とは異なり、耳障りな音を鳴動させる前に、就寝者に覚醒を促すことから、起床時に人に不快感を与えることを抑制できる。
【００９３】
以上述べた調光回路部２０と、液晶フィルタ部３１と、調色回路部４１Ａ，４１Ｂと、照明制御部５１とで照明装置１１は構成されている。
【００９４】
そして、本実施形態の照明装置１１によれば、実施形態２と同様の効果を奏する上に、液晶フィルタ部３１が、色温度が低い光に対して透過率が変化するように構成された高照度用液晶フィルタである青色液晶フィルタ３１Ａと、色温度が高い光に対して透過率が変化するように構成された低照度用液晶フィルタである黄色液晶フィルタ３１Ｂとで構成されているので、青色液晶フィルタ３１Ａの透過率を下げることで、照射光の色温度を光源６０の色温度よりも高くすることができ、黄色液晶フィルタ３１Ａの透過率を下げることで、照射光の色温度を光源６０の色温度よりも低くすることができ、これにより光源６０に特有の色温度を中心にして、色温度を広範囲に変化させることができるという効果を奏する。
【００９５】
尚、本実施形態の照明装置１１では、蛍光灯を光源６０として用いているが、光源６０には、色温度を広範囲に制御できるようにするため、ほぼ平坦な連続スペクトルを有するキセノン放電ランプやメタルハライド放電ランプが有用である。すなわち、光源が平坦な分光特性であれば、色温度を増減する際の光吸収ロスを最小限に抑制できるからである。
【００９６】
（実施形態４）
本実施形態の照明装置１２は、図１１に示すように、照明制御部５２の構成に特徴があり、その他の構成は実施形態２の照明装置１０と同様であるから、同様の構成については同一の符号を付して説明を省略する。
【００９７】
照明制御部５２は、図１１に示すように、マイクロコンピュータ等からなる制御部５２ａと、照明装置１０の調光、調色制御用のプログラムである照明プログラムが記憶された記憶部５０ｂと、クロック部５ｃと、表示部５ｄと、操作部５ｅと、リモートコントローラ等の送信機ＲＣより送信される赤外線信号を受信する受光部５ｆとを有している。
【００９８】
ここで、送信機ＲＣは、例えば、光源６０の点灯／消灯や、照射光の明るさの調整、照射光の色温度の調整、照明プログラムの動作のオン／オフ等を実行するための入力装置（図示せず）と、該入力装置で入力された制御内容に応じた赤外線信号を送出する送信部（図示せず）とを有している。
【００９９】
制御部５２ａは、記憶部５０ｂに記憶されている照明プログラムに従って、調光回路部２０に調光レベルの基準を与える前述の制御信号Ｓ４を出力するとともに、調色回路部４０に液晶フィルタ部３０の透過率を制御するための制御信号Ｓ２，Ｓ３を出力することで、調光回路部２０及び調色回路部４０を制御する自動制御機能を有している。また、制御部５０ａは、操作部５ｅの入力に応じて制御信号Ｓ２〜Ｓ４を出力して、調光回路部２０及び調色回路部４０を制御する手動制御機能を有する他、操作部５ｅの入力に応じて現時刻の設定、修正を行うとともに、クロック部５ｃに従って現時刻のカウントを行う機能や、現時刻を表示部５ｄに表示する機能、操作部５ｅの入力に応じて起床時刻の設定、修正等を行う機能等、目覚まし装置として必要な機能を有している。
【０１００】
さらに、本実施形態では、制御部５２ａは、受光部５ｆで受信した赤外線信号の制御内容に応じて、制御信号Ｓ２〜Ｓ４を出力して、調光回路部２０及び調色回路部４０を制御する遠隔制御機能を有しており、これにより例えば、光源６０の点灯／消灯や、照射光の光度の調整、照射光の色温度の調整、照明プログラムの動作のオン／オフ等を、送信機ＲＣの入力装置を操作することで行えるようになっている。
【０１０１】
以上述べた本実施形態の照明装置１２によれば、実施形態２の効果を奏する上に、送信機ＲＣを使用することで、照明装置１２を遠隔制御することができ、これにより例えば、光源６０の点灯／消灯や、照射光の光度の調整、照射光の色温度の調整、照明プログラムの動作のオン／オフ等をスムーズに行うことができるという効果を奏する。
【０１０２】
尚、本実施形態の構成が、上記実施形態２だけではなく、他の実施形態にも適用できることは言うまでもない。
【０１０３】
（実施形態５）
近年、人の脳の松果体より分泌されるメラトニンと呼ばれるホルモンが、人の睡眠に深い関わりを有しており、メラトニンの分泌量が多くなると、人は眠気を感じ、メラトニンの分泌量が少なくなると、人は眠気を感じ難くなるという傾向があることがわかっている。また、メラトニンは、暗闇下（すなわち、網膜に入射する光量が少ない状態）において分泌が促進され、逆に明るい場所では分泌が抑制されることがわかっており、特に４６０ｎｍの波長を中心とした青色光によりメラトニンの分泌が効果的に抑制されるという結果が得られている。
【０１０４】
本実施形態の照明装置は、メラトニンによる睡眠作用を考慮して為されたもので、実施形態２の照明装置１０の構成に加えて、図示しないメラトニン抑制用の液晶フィルタ部（以下、「メラトニン抑制フィルタ」と称する）と、図示しないメラトニン抑制フィルタの透過率を調整する調色回路部（以下、「メラトニン用調色回路部」と称する）とを備え、記憶部５０ｂには、照明プログラムとして新たにメラトニン抑制プログラムが記憶されているものである。尚、以下の説明では、本実施形態の特有の構成について説明し、実施形態２の照明装置１０と同様の構成については説明を省略する。
【０１０５】
ここで、メラトニン抑制フィルタは、分子配向により光吸収率が変化する２色性色素として、短波長の光を吸収して色温度を減少させるアゾ系色素を有するネマティック液晶を用いて形成された黄色液晶フィルタであり、２色性色素の量や種類を調整することにより、特に４６０ｎｍ近傍の波長の光に対する透過率を著しく低くできるように構成されている。尚、このようなメラトニン抑制フィルタは、構成的には、上記実施形態２の液晶フィルタ部３０と同様の構成を有しているため、他の構成については説明を省略する。
【０１０６】
以下、メラトニン抑制フィルタの透過率特性について図１２を参照して説明する。まずメラトニン抑制フィルタに交流電圧が印加されていない場合は、２色性色素の色素分子がネマティック液晶の液晶分子とともに入射偏光に平行に配向しており（ホモジニアス配向）、このとき細長い２色性色素分子の軸が偏光と平行であるため、２色性色素の特性に従って、図１２中にグラフＹ１０で示すように、短波長の光、特に４６０ｎｍ近傍の波長の光を吸収する。この状態からメラトニン抑制フィルタに交流電圧を印加すると、液晶分子とともに色素分子が電界方向に配向して吸収が解消し、これにより図１２中にグラフＹ２０で示すように、４６０ｎｍ近傍の波長の光に対する吸収率が減少し（換言すると透過率が増加し）、メラトニン抑制フィルタに印加される交流電圧の電圧値が所定値以上となると、図１２中にグラフＹ３０で示すように、４６０ｎｍ近傍の波長の光をほとんど吸収しなくなり、略全ての波長の光に対して略１００％の透過率を有するようになる。
【０１０７】
一方、メラトニン抑制フィルタに、例えば電圧値が約１５Ｖ以上で、周波数が数百Ｈｚ〜数ｋＨｚと低い交流電圧を印加した場合には、液晶分子とともに色素分子が十分に電界方向に配向できる時間が増えるために光の吸収率が減少し、図１２中にグラフＹ３０で示すように、短波長の光をほとんど吸収しなくなる。この状態から交流電圧の周波数を高くしていくと、交流電圧が連続的に印加される時間が減少するために、色素分子が十分に電界方向に配向されなくなり、結果として光の吸収率が増えていき（換言すれば、透過率が減っていき）、周波数が数ｋＨｚ〜数百ｋＨｚ程度になると図１２中にグラフＹ１０で示すように、４６０ｎｍ近傍の波長の光のほとんどを吸収するようになる。
【０１０８】
以上述べたように、メラトニン抑制フィルタは、印加される交流電圧の電圧値の大小と、交流電圧の周波数の高低とによって、４６０ｎｍ近傍の波長の光の吸収率（光の透過率）が変化するものである。具体的には、メラトニン抑制フィルタは、印加される交流電圧の電圧値が大きければ、４６０ｎｍ近傍の波長の光に対する吸収率が減少し、印加される交流電圧の電圧値が小さければ、４６０ｎｍ近傍の波長の光に対する吸収率が増加し、また、印加される交流電圧の周波数が高ければ、４６０ｎｍ近傍の波長の光に対する吸収率が増加し、印加される交流電圧の周波数が低ければ、４６０ｎｍ近傍の波長の光に対する吸収率が減少することになる。
【０１０９】
メラトニン用調色回路部は、メラトニン抑制フィルタに所定の電圧値及び周波数の交流電圧を印加することで、メラトニン抑制フィルタの透過率（吸収率）を調整するためのものであり、実施形態２の調色回路部４０と同様に、電源回路と、インバータ回路とで構成されている。したがって、メラトニン用調色回路部によれば、メラトニン抑制フィルタ印加する交流電圧の電圧値と周波数とを調整することで、メラトニン抑制フィルタの透過率を所望の値に設定することができる。尚、メラトニン用調色回路部は、上記実施形態２の調色回路部４０と同様に、制御部５０ａが出力する制御信号によって、電源回路と、インバータ回路とが制御されるようになっている。
【０１１０】
前述のメラトニン抑制プログラムは、照明プログラムとして記憶部５０ｂに記憶されている。このメラトニン抑制プログラムは、光刺激によりメラトニンの分泌の抑制又は促進を図るための照明プログラムであり、具体的には、メラトニン抑制フィルタによる４６０ｎｍ近傍の波長の透過率を増減させることで、メラトニンの分泌の抑制又は促進を図るように構成されている。
【０１１１】
例えば、このメラトニン抑制プログラムは、図１３に示すように、操作部５ｅで入力された起床時刻ｔ１０及び就寝時刻ｔ３０（０時より前の時刻とする）に対して、就寝時刻ｔ３０より所定時間前（例えば２時間前）の時刻ｔ２０から、翌朝の起床時刻ｔ１０までの期間Ｔｃにおいて、メラトニン抑制フィルタの透過率を低くすることで、人のメラトニンの分泌の促進を図るように構成されている。またメラトニン抑制プログラムは、期間Ｔｃ以外の期間では、メラトニン抑制フィルタの透過率を高くすることで、人のメラトニンの分泌の抑制を図るように構成されている。尚、期間Ｔｃは、時刻ｔ２０から０時までの期間としてもよいし、タイマー等により期間Ｔｃを設定できるようにしてもよい。
【０１１２】
したがって、以上述べたメラトニン抑制プログラムによれば、照明装置１３は、期間Ｔｃにおいて４６０ｎｍ近傍の波長の光が抑制された照射光を人に照射することで、メラトニンの分泌の促進を図り、これにより人に就寝しやすい環境を与え、期間Ｔｃ以外の期間では、４６０ｎｍ近傍の波長の光を抑制しない照射光を人に照射することで、メラトニンの分泌の抑制を図り、これにより人に目覚めやすい環境を与えるように、動作することになる。
【０１１３】
以上述べたように、本実施形態の照明装置１３によれば、実施形態２と同様の効果を奏する上に、メラトニン抑制プログラムに従って動作することで、就寝時には、人に就寝しやすい（入眠しやすい）環境を与えるとともに、起床時には、人に目覚めやすい（覚醒しやすい）環境を与えることができ、人に就寝、及び起床をスムーズに行わせることが可能となるという効果を奏する。また、このように時間帯によってメラトニンの分泌の抑制、促進が図られることで、人の睡眠、覚醒のサイクルを整える効果が期待できる。
【０１１４】
尚、本実施形態のメラトニン抑制フィルタ、メラトニン用調色回路、及びメラトニン抑制プログラムは、上記実施形態２のみならず他の実施形態にも採用することができる。
【０１１５】
（実施形態６）
本実施形態の照明装置１３は、図１４に示すように、照明制御部５３の構成に特徴があり、その他の構成は実施形態３の照明装置１１と同様であるから、同様の構成については同一の符号を付して説明を省略する。
【０１１６】
照明制御部５３は、図１４に示すように、マイクロコンピュータ等からなる制御部５３ａと、照明装置１３の調光、調色制御用のプログラムである照明プログラムが記憶された記憶部５３ｂと、クロック部５ｃと、表示部５ｄと、操作部５ｅと、明るさセンサ５３ｃと、温度センサ５３ｄとを有している。
【０１１７】
ここで、明るさセンサ５３ｃは、照明装置１３が設置される屋内の明るさ、すなわち明るさセンサが設置された屋内の所定場所における照度を検出するものであり、例えば、フォトトランジスタ等の受光素子を備えており、照度検出値を制御部５３ａに出力するように構成されている。一方、温度センサ５３ｄは、照明装置１３が設置される屋内の温度（気温）を検出するものであり、例えば、サーミスタ等の温度検知素子を備えており、温度検出値を制御部５３ａに出力するように構成されている。
【０１１８】
制御部５３ａは、記憶部５３ｂに記憶されている照明プログラムに従って、調光回路部２０に調光レベルの基準を与える制御信号Ｓ４を、調色回路部４１Ａに液晶フィルタ部３１の青色液晶フィルタ３１Ａの透過率を制御するための制御信号Ｓ２Ａ，Ｓ３Ａを、調色回路部４１Ｂに液晶フィルタ部３１の黄色液晶フィルタ３１Ｂの透過率を制御するための制御信号Ｓ２Ｂ，Ｓ３Ｂを、それぞれ出力することで、調光回路部２０及び調色回路部４１Ａ，４１Ｂを制御する自動制御機能を有している。また、制御部５３ａは、操作部５ｅの入力に応じて制御信号Ｓ２Ａ，Ｓ２Ｂ，Ｓ３Ａ，Ｓ３Ｂ，Ｓ４を出力して、調光回路部２０及び調色回路部４１Ａ，４１Ｂを制御する手動制御機能を有する他、操作部５ｅの入力に応じて現時刻の設定、修正を行うとともに、クロック部５ｃに従って現時刻のカウントを行う機能や、現時刻を表示部５ｄに表示する機能、操作部５ｅの入力に応じて起床時刻の設定、修正等を行う機能等、目覚まし装置として必要な機能を有している。
【０１１９】
記憶部５３ｂは、ＲＡＭ等の記憶装置であって、制御部５３ａにより調光回路部２０及び調色回路部４１Ａ，４１Ｂを制御させるための照明プログラムが記憶されている。ここで、照明プログラムは、上記実施形態３と同様の起床プログラムに加えて、季節に応じて照射光の色温度を調整する第１の体感温度調整プログラムと、温度に応じて照射光の色温度を調整する第２の体感温度調整プログラムとを有している。
【０１２０】
第１の体感温度調整プログラムは、明るさセンサ５３ｃの照度検出値を検出時刻と対応付けて保持するとともに、例えば一日分の照度検出値の経時データに基づいて、照明装置１３が設定された屋内に外光が入射している期間の長さや、日の出時間、日没時間等を算出し、これらの算出値と、予め保持されている基準値（外光が入射している期間の長さや、日の出時間、日没時間等の基準値）とを比較して、夏場であるか冬場であるかを判断するように構成されている。例えば、算出した日の出時間が、基準値より早ければ、夏場であると判断し、基準データより遅ければ、冬場であると判断する。尚、このような基準値は、操作部５ｅを用いて入力できるようにしてもよい。
【０１２１】
加えて、第１の体感温度調整プログラムは、現在の季節が夏場であると判断した際には、液晶フィルタ部３１の青色液晶フィルタ３１Ａの透過率を低下させることで、照射光の色温度を高くし、現在の季節が冬場であると判断した際には、液晶フィルタ部３１の黄色液晶フィルタ３１Ｂの透過率を低下させることで、照射光の色温度を低くするように構成されている。
【０１２２】
したがって、以上述べた第１の体感温度調整プログラムに従って照明装置１３が動作した際には、夏場と判断したときには照射光の色温度が高くなり、これにより人に涼しい印象を与えて体感温度を下げることができ、一方、冬場と判断したときには色温度が低くなり、これにより人に暖かい印象を与えて体感温度を上げることができる。
【０１２３】
第２の体感温度調整プログラムは、温度センサ５３ｄで検出した温度と、予め保持されている設定温度とを比較して、温度センサ５３ｄで検出した温度が設定温度より高いときは、液晶フィルタ部３１の青色液晶フィルタ３１Ａの透過率を低下させることで、照射光の色温度を高くし、温度センサ５３ｄで検出した温度が設定温度より低いときには、液晶フィルタ部３１の黄色液晶フィルタ３１Ｂの透過率を低下させることで、照射光の色温度を低くするように構成されている。尚、各液晶フィルタ３１Ａ，３１Ｂにおいて透過率を低下させる際には、温度センサ５３ｄで検出した温度と設定温度との差の大きさに基づいて、透過率をどの程度低下させるかを決定するようにしてもよく、例えば、温度センサ５３ｄで検出した温度が設定温度よりも高ければ高いほど、青色液晶フィルタ３１Ａの透過率を低くするようにしてもよい。また、このような各液晶フィルタ３１Ａ，３１Ｂの透過率の増減の幅は、使用者が自由に設定できるようにしてもよい。
【０１２４】
したがって、以上述べた第２の体感温度調整プログラムに従って照明装置１３が動作した際には、温度センサ５３ｄで検出した温度が設定温度より高いときは照射光の色温度が高くなり、これにより人に涼しい印象を与えて体感温度を下げることができ、一方、温度センサ５３ｄで検出した温度が設定温度より低いときは照射光の色温度が低くなり、これにより人に暖かい印象を与えて体感温度を上げることができる。
【０１２５】
尚、本実施形態では、操作部５ｅに、上記の第２の体感温度調整プログラムで用いる設定温度を入力するためのキー等が付設されており、操作部５ｅで入力された設定温度は、制御部５３ａに送られるようになっている。
【０１２６】
以上述べたように、本実施形態の照明装置１３によれば、上記実施形態３の照明装置１１と同様の効果を奏する上に、明るさセンサ５３ｃを備えるとともに、照明プログラムとして、第１の体感温度調整プログラムを備えているので、夏場では照射光の色温度が高くなり、これにより人に涼しい印象を与えて体感温度を下げることができ、冬場では色温度が低くなり、これにより人に暖かい印象を与えて体感温度を上げることができるという効果を奏する。加えて、照明装置１３は、温度センサ５３ｄを備えるとともに、照明プログラムとして、第２の体感温度調整プログラムを備えているので、温度センサ５３ｄで検出した温度が設定温度より高いときは照射光の色温度が高くなり、これにより人に涼しい印象を与えて体感温度を下げることができ、温度センサ５３ｄで検出した温度が設定温度より低いときは照射光の色温度が低くなり、これにより人に暖かい印象を与えて体感温度を上げることができるという効果を奏する。
【０１２７】
尚、本実施形態の照明装置１３では、明るさセンサ５３ｃと温度センサ５３ｄを両方備えているが、いずれか一方のみを備えるようにしてもよい。
【０１２８】
（実施形態７）
本実施形態の照明装置は、上記の実施形態６の照明装置１３に、上記実施形態５で述べたメラトニン抑制フィルタと、メラトニン用調色回路部とを設けるとともに、記憶部５３ｂに、照明プログラムとして新たにリラックス用プログラムが記憶されている。尚、以下の説明では、本実施形態の特有の構成であるリラックス用プログラムについて説明し、実施形態５及び６と同様の構成については説明を省略する。
【０１２９】
すなわち、リラックス用プログラムは、明るさセンサ５３ｃの照度検出値と、予め設定された設定値とを比較し、照度検出値が設定値以上であれば、照明装置が設置されている屋内に外光が入射していると判断して、メラトニン抑制フィルタの透過率を増加させて（例えば略１００％に設定して）、人に目覚め（覚醒）を促す環境を与えるように構成されている。また、リラックス用プログラムは、明るさセンサの照度検出値と、予め設定された設定値とを比較し、照度検出値が設定値未満であれば、照明装置が設置されている屋内に外光が入射していないと判断して、メラトニン抑制フィルタの透過率を減少させて（例えば透過率を最低値に設定して）、人に就寝を促す、すなわち人に和み（リラックス）を促す環境を与えるように構成されている。
【０１３０】
したがって、本実施形態の照明装置によれば、上記実施形態６と同様の効果を奏する上に、照明装置が設置されている屋内に外光が入射している場合には、人に目覚め（覚醒）を促す環境を与えることができる一方で、照明装置が設定されている屋内に外光が入射していない場合には、人に和み（リラックス）を促す環境を与えることができ、これにより照明装置が設定されている室内の明るさに応じて、メラトニンの分泌の抑制、促進が図られることで、自動的に人の和み、又は覚醒を促すことができるという効果を奏する。
【０１３１】
（実施形態８）
ところで、上記の実施形態６では、光源６０として蛍光灯を用いているが、一般に蛍光灯は初期点灯時と、末期（寿命末期）点灯時とでは、同等の電圧を印加した場合でも、その光出力（光度）が異なっており、初期点灯時の光出力は、末期点灯時の光出力に比べて高くなっている。そのため、蛍光灯の寿命を考慮せずに調光制御した場合、初期点灯時と末期点灯時とで、照明装置の照射光による照度が異なってしまうおそれがある。
【０１３２】
そこで、本実施形態の照明装置は、上記の実施形態６の照明装置１３において、記憶部５３ｂに、照明プログラムとして新たに定照度プログラムを記憶させたことを特徴としている。尚、以下の説明では、本実施形態の特有の構成である定照度プログラムについて説明し、実施形態６と同様の構成については説明を省略する。
【０１３３】
すなわち、定照度プログラムは、光源６０に所定値の高周波電圧を印加した際に、照明装置により得られる照度が、光源６０の累積点灯時間に関わらずに一定となるように調色回路部４１Ａ，４１Ｂを制御するように構成されている。例えば、所定値の高周波電圧を印加して光源６０を点灯させた際の照明装置の照射光による照度を明るさセンサ５３ｃにより検出し、明るさセンサ５３ｃから得られる照度検出値が、設定値（換言すれば、光源６０に前記所定値の高周波電圧を印加した際に得られるべき照度に対応する値）となるように液晶フィルタ部３１の液晶フィルタ３１Ａ，３１Ｂの透過率をともに増減させることで、可視領域の全波長の光に対する透過率を増減させるように構成されている。尚、実際上、光源６０の光出力は累積点灯時間とともに低下していくため、上記の設定値は、末期点灯時の光源６０の光出力に対応して設定される。したがって、上記の定照度プログラムによれば、両液晶フィルタ３１Ａ，３１Ｂの透過率は、光源６０の累積点灯時間に応じて増加する（すなわち、光源６０の初期点灯時の透過率に対して、末期点灯時の透過率が高くなる）ように制御されることになる。
【０１３４】
以上述べたように本実施形態の照明装置によれば、上記実施形態６と同様の効果を奏する上に、光源６０の累積点灯時間に起因する光出力の低下を補正して、光源６０に同等の電圧を印加した際の照明装置の照射光による照度を、略一定に保つことができるという効果を奏する。
【図面の簡単な説明】
【０１３５】
【図１】実施形態１の照明装置のブロック図である。
【図２】実施形態１の調光回路部の回路説明図である。
【図３】（ａ）は、実施形態１の液晶フィルタ部の概略断面図であり、（ｂ）は、実施形態１の液晶フィルタ部における光の波長に対する透過率を示すグラフである。
【図４】実施形態１の調色回路部の電源回路の回路説明図である。
【図５】（ａ）は、実施形態１の調色回路部のインバータ回路の回路説明図であり、（ｂ）は、インバータ回路の他例を示す回路説明図である。
【図６】（ａ）は、実施形態１の照明装置の動作説明図であり、（ｂ）は、自然光と光源の色温度の関係を示す説明図である。
【図７】実施形態２の照明装置のブロック図である。
【図８】実施形態２の調光回路部の回路説明図である。
【図９】実施形態２の液晶フィルタ部における光の波長に対する透過率を示すグラフである。
【図１０】実施形態３の照明装置のブロック図である。
【図１１】実施形態４の照明装置のブロック図である。
【図１２】実施形態５の液晶フィルタにおける光の波長に対する透過率を示すグラフである。
【図１３】実施形態５の照明装置の動作説明図である。
【図１４】実施形態６の照明装置のブロック図である。
【図１５】従来の照明装置のブロック図である。
【符号の説明】
【０１３６】
１    照明装置
２    調光回路部
３    液晶フィルタ部
４    調色回路部
５    照明制御部
５ａ  制御部
５ｂ  記憶部
【図１】
0004710690.tif 000002
【図２】
0004710690.tif 000003
【図３】
0004710690.tif 000004
【図４】
0004710690.tif 000005
【図５】
0004710690.tif 000006
【図６】
0004710690.tif 000007
【図７】
0004710690.tif 000008
【図８】
0004710690.tif 000009
【図９】
0004710690.tif 000010
【図１０】
0004710690.tif 000011
【図１１】
0004710690.tif 000012
【図１２】
0004710690.tif 000013
【図１３】
0004710690.tif 000014
【図１４】
0004710690.tif 000015
【図１５】
0004710690.tif 000016